(57)【要約】      （修正有）【課題】テレビ番組本編を静かに視聴するために、周辺にある空気清浄機やエアコンなどの家電装置の動作音を制御することが可能な映像装置および家電制御システムを提供する。【解決手段】映像装置にテレビＣＭ検出手段と家電装置を制御する制御信号を生成する制御信号生成手段を備え、テレビ番組本編の放送中は、家電装置の出力を下げ、テレビＣＭ中は家電装置の出力を上げる。【選択図】図１
2013207444.tif 000002
【特許請求の範囲】
【請求項１】
番組を表示する映像装置において、
ＣＭの開始と番組本編の開始を検出する検出部と、
家電装置を制御する制御信号を生成する制御信号生成部とを有する映像装置であって、
前記映像装置は、番組本編を放送中は、家電装置の出力を小さくするまたは家電装置の運転モードを静音モードにする制御信号を送信することを特徴とする映像装置。
【請求項２】
番組を表示する映像装置において、
ＣＭの開始と番組本編の開始を検出する検出部と、
家電装置を制御する制御信号を生成する制御信号生成部とを有する映像装置であって、
前記映像装置は、ＣＭの放送中は、家電装置の出力を大きくする制御信号を送信することを特徴とする映像装置。
【請求項３】
前記家電装置は、空気清浄機またはエアコンまたはイオン発生器であることを特徴とする請求項１または２記載の映像装置。
【請求項４】
前記映像装置は、ＣＭの放送中は映像装置の出力音量を上げることを特徴とする請求項１から３記載の映像装置。
【請求項５】
前記映像装置は、前記映像装置の音量を検出する音量検出部を更に備え、前記音量検出部からの出力に応じて、家電装置の出力を大きくすることを特徴とする請求項１から４記載の映像装置。
【請求項６】
映像装置と家電装置からなる家電制御システムであって、
前記映像装置は、
ＣＭの開始と番組本編の開始を検出する検出部と、
前記検出部により検出された番組視聴状態を前記家電装置へ送信する番組視聴状態送信部を備え、
前記家電装置は、
前記映像装置から送信された番組視聴状態を受信する番組視聴状態受信部と、
前記番組視聴状態受信部により受信した番組視聴状態に基づき前記家電装置を制御する制御部を備える、
ことを特徴とする家電制御システム。
【請求項７】
前記映像装置は、前記映像装置の音量を検出する音量検出部を更に備え、
前記番組視聴状態送信部は、前記音量検出部による音量検出を含んだ番組視聴状態を前記家電装置へ送信することを特徴とする請求項６記載の家電制御システム。
【請求項８】
番組を表示する映像装置において、
ＣＭの開始と番組本編の開始を検出する検出部と、
番組視聴状態を家電装置へ送信する番組視聴状態送信部とを備え、
前記番組視聴状態はＣＭの開始または番組本編の開始であることを特徴とする映像装置。
【請求項９】
前記映像装置は、前記映像装置の音量を検出する音量検出部を更に備え、
前記番組視聴状態は、前記映像装置の音量を含むことを特徴とする請求項８記載の映像装置。
【請求項１０】
映像装置から送信された番組視聴状態を受信する番組視聴状態受信部と、
前記番組視聴状態受信部により受信した番組視聴状態に基づき前記家電装置を制御する制御部とを備え、
前記制御部は、番組視聴状態が番組本編の開始である場合に、出力を小さくするまたは運転モードを静音モードにすることを特徴とする家電装置。
【請求項１１】
映像装置から送信された番組視聴状態を受信する番組視聴状態受信部と、
前記番組視聴状態受信部により受信した番組視聴状態に基づき前記家電装置を制御する制御部とを備え、
前記制御部は、番組視聴状態がＣＭの開始である場合に、出力を大きくすることを特徴とする家電装置。
【請求項１２】
前記家電装置は、空気清浄機またはエアコンまたはイオン発生器であることを特徴とする請求項１０または１１記載の家電装置。
【請求項１３】
前記制御部は、前記番組視聴状態が音量である場合に、音量に基づき出力を大きくすることを特徴とする請求項１０から１２記載の家電装置。
【発明の詳細な説明】
【技術分野】
【０００１】
本発明は、映像装置で再生する番組に応じて空気清浄機、エアコン、イオン発生器などの家電装置の出力を制御可能な映像装置および家電制御システムに関する。
【背景技術】
【０００２】
空気清浄機には、モーターによりファンを回転させて空気を吸い込み、吸い込んだ空気をフィルターでろ過することによって、空気中の汚れを除去するものがある。また、エアコンは、例えば、冷房運転時に冷却した空気をモーターにより回転させたファンに乗せて室内に送出する。
【０００３】
しかし、これら空気清浄機やエアコンなどの家電装置を用いている場合、モーターやファンの動作音が、テレビの視聴を妨げるほど大きい事がある。そこで、テレビなどの映像装置から家電装置の動作音を自動的に制御したいとの要求があった。
【０００４】
例えば、特許文献１では、視聴者の顔を撮影するカメラを備えて、視聴者の顔の中の目を認識することにより、視聴者が起きているかどうかの判断を行うことにより、視聴者が寝ていると判断した場合には、一定時間経過するとテレビを消す、音量を下げるなどのテレビの制御を行うとともに、エアコンのリモコンなどと連動して冷えないように暖房をつけ、周りの電気を消すといった家電装置の制御を自動的に行うテレビ制御装置が開示されている。
【先行技術文献】
【特許文献】
【０００５】
【特許文献１】特開２０１０−２７３２７６号公報
【発明の概要】
【発明が解決しようとする課題】
【０００６】
上述したように空気清浄機やエアコンなどの家電装置の動作音が大きい事があり、映画やドラマなどのテレビ番組本編を静かに視聴したいという要求がある。
【０００７】
しかしながら、特許文献１による家電装置の制御は、視聴者が起きているか寝ているかによって家電装置を制御することは可能であるが、テレビ番組本編を静かに視聴するために、テレビ番組本編を視聴する間に家電装置の音を小さくすることはできないという課題がある。
【０００８】
本発明は、上記課題に鑑みて、テレビ番組本編の視聴中に家電装置の動作音が気にならず、番組本編を快適に視聴できる映像装置を提供する事を目的とするものである。
【課題を解決するための手段】
【０００９】
本発明の映像装置は、番組を表示する映像装置において、ＣＭの開始と番組本編の開始を検出する検出部と、家電装置を制御する制御信号を生成する制御信号生成部とを有する映像装置であって、前記映像装置は、番組本編を放送中は、家電装置の出力を小さくするまたは家電装置の運転モードを静音モードにする制御信号を送信することを特徴とする。
【００１０】
本発明の映像装置は、番組を表示する映像装置において、ＣＭの開始と番組本編の開始を検出する検出部と、家電装置を制御する制御信号を生成する制御信号生成部とを有する映像装置であって、前記映像装置は、ＣＭの放送中は、家電装置の出力を大きくする制御信号を送信することを特徴とする。
【００１１】
また本発明の上記前記家電装置は、空気清浄機またはエアコンまたはイオン発生器であることを特徴とする。また、本発明の前記映像装置は、ＣＭの放送中は映像装置の出力音量を上げることを特徴とする。また、本発明の映像装置は、前記映像装置の音量を検出する音量検出部を更に備え、前記音量検出部からの出力に応じて、家電装置の出力を大きくすることを特徴とする。
【００１２】
本発明の家電制御システムは、映像装置と家電装置からなる家電制御システムであって、前記映像装置は、ＣＭの開始と番組本編の開始を検出する検出部と、前記検出部により検出された番組視聴状態を前記家電装置へ送信する番組視聴状態送信部を備え、前記家電装置は、前記映像装置から送信された番組視聴状態を受信する番組視聴状態受信部と、前記番組視聴状態受信部により受信した番組視聴状態に基づき前記家電装置を制御する制御部を備えることを特徴とする。また本発明の前記家電御システムにおける前記映像装置は、前記映像装置の音量を検出する音量検出部を更に備え、前記番組視聴状態送信部は、前記音量検出部による音量検出を含んだ番組視聴状態を前記家電装置へ送信することを特徴とする。
【００１３】
本発明の映像装置は、番組を表示する映像装置において、ＣＭの開始と番組本編の開始を検出する検出部と、番組視聴状態を家電装置へ送信する番組視聴状態送信部とを備え、前記番組視聴状態はＣＭの開始または番組本編の開始であることを特徴とする。また、本発明の前記映像装置は、前記映像装置の音量を検出する音量検出部を更に備え、前記番組視聴状態は、前記映像装置の音量を含むことを特徴とする。
【００１４】
本発明の家電装置は、映像装置から送信された番組視聴状態を受信する番組視聴状態受信部と、前記番組視聴状態受信部により受信した番組視聴状態に基づき前記家電装置を制御する制御部とを備え、前記制御部は、番組視聴状態が番組本編の開始である場合に、出力を小さくするまたは運転モードを静音モードにすることを特徴とする。本発明の家電装置は、映像装置から送信された番組視聴状態を受信する番組視聴状態受信部と、前記番組視聴状態受信部により受信した番組視聴状態に基づき前記家電装置を制御する制御部とを備え、前記制御部は、番組視聴状態がＣＭの開始である場合に、出力を大きくすることを特徴とする。また本発明の前記家電装置は、空気清浄機またはエアコンまたはイオン発生器であることを特徴とする。また本発明の前記家電装置の前記制御部は、前記番組視聴状態が音量である場合に、音量に基づき出力を大きくすることを特徴とする。
【発明の効果】
【００１５】
本発明によれば、番組本編の視聴中には家電装置の動作音が気にならない映像装置を提供できる。
【図面の簡単な説明】
【００１６】
【図１】本発明の実施形態１の映像装置の構成を示す構成図。
【図２】本発明の実施形態１の映像装置による家電制御の例図。
【図３】本発明の実施形態１の映像装置による家電制御フロー図。
【図４】本発明の実施形態２の家電制御システムの構成を示す構成図。
【図５】本発明の実施形態２の家電制御システムによる処理フロー図。
【発明を実施するための形態】
【００１７】
本願においてテレビ番組本編（以下、番組本編と称す）は、ドラマやニュース、クイズ番組などを意味し、テレビ番組（以下、番組と称す）とは番組本編とＣＭ(ＣＯＭＭＥＲＣＩＡＬ  ＭＥＳＳＡＧＥ)とを合わせたものを意味する。
【００１８】
また本願の映像装置は、放送局からのテレビ番組の映像と音声とを再生する機能を有する装置であり、テレビのほかにパソコン、プロジェクター、タブレット端末、スマートフォンなども含むものとする。
【００１９】
以下に映像装置の実施形態を示す。
【００２０】
［実施形態１］
本発明の実施形態１を図１から図３を参照して説明する。
【００２１】
図１は、本発明の実施形態による映像装置１の略構成図である。図１に示すように映像装置１は、アンテナ１０、受信処理部１１、映像／音声処理部１２、制御部１４、メモリ１５、表示部１６、音声出力部１７、制御信号送信部１８を有する。
【００２２】
アンテナ１０は、放送局からの放送波を受信する。ここで受信する放送波は、ＢＳ、広域ＣＳ、地上波デジタル放送などである。
【００２３】
受信処理部１１は、チューナ、復調回路を有し、アンテナ１０から受信した放送波をＭＰＥＧ−ＴＳ(Transport Stream)に変換し、映像／音声処理部１２へ出力する。なお、アンテナからの受信や映像／音声処理部１２への出力のタイミング、および演算におけるメモリ１５への中間データの格納と読み出しなどは、制御部１４の制御に基づいて行われる。
【００２４】
映像／音声処理部１２は、ＭＰＥＧ−ＴＳを映像、音声、データなどに分離し、分離した映像や音声を復号処理して、それぞれ映像データと音声データにして、映像データを表示部１６へ、音声データを音声出力部１７へ出力する。なお、映像／音声処理部１２の各処理も、受信処理部１１と同様に制御部１４の制御によって行われる。
【００２５】
表示部１６は、映像／音声処理部１２の出力した映像データを表示する。なお、表示部１６は、液晶などにより構成されるテレビ画面に加え、液晶プロジェクターなどの表示装置も含むこととする。音声出力部１７は、映像／音声処理部１２の出力した音声データを出力するスピーカやヘッドホン端子などである。なおヘッドホンが接続されている場合は、家電装置の制御を行わないようにしてもよい。
【００２６】
ＣＭ検出部１３は、番組本編からＣＭへの切り替わり（以下、ＣＭ開始と称す）とＣＭから番組本編への切り替わり（以下、番組本編開始と称す）を検出する。詳細は後述する。
【００２７】
制御部１４は、アンテナから受信した放送波の表示部への表示や音声の出力など映像装置としての基本的な機能を実行するための受信処理部１１、映像／音声処理部１２の制御の他に、本発明に係る機能として、ＣＭ検出部１３からＣＭ開始または番組本編開始を検出した信号を受信すると、家電装置の出力を制御する制御信号を生成する。具体的には、ＣＭが開始されたらエアコンや空気清浄機などの風量を大きくする、もしくは自動風量にする制御信号を生成し、番組本編の放送が開始されたらエアコンや空気清浄機などの風量を小さくする、もしくは静音モードにする制御信号を生成する。制御部１４は、それぞれ生成した制御信号を制御信号送信部１８へ出力する。メモリ１５は、受信処理部１１や映像／音声処理部１２などの各構成が行う処理データを、制御部１４を介して一時的に格納する他、電子番組表(EPG :Electronic Program Guide)やアプリケーションなどを格納する。
【００２８】
制御信号送信部１８は、制御部１４によって生成した制御信号を家電装置へ送信する。または家電装置のリモコン(リモートコントロール)へ送信するようにしてもよい。なお送信する制御信号は、赤外線やWiFi(Wireless Fidelity)、有線ネットワークを介して送ることができ、任意に使用可能である。
【００２９】
音量設定部１９は、音声出力部１７から出力される音量(ボリューム)を設定する。音量設定部１９は、映像装置１やそのリモコンに設けられた音量ボタンを指す。音量検出部２０は、音量設定部１９で設定された音量を検出して制御部へ出力する。これにより、例えば、ＣＭ中に視聴者がテレビの音量を大きく設定している場合、エアコンや空気清浄機などの風量を大きくし、テレビの音量を小さく設定している場合は、エアコンや空気清浄機などの風量を小さくするなど、設定されたテレビの音量によって風量を調整することが可能になる。
【００３０】
図２は、図１の構成を有する映像装置１と、空気清浄機３０とエアコン４０である。映像装置１は、赤外線などの送信部である制御信号送信部１８から制御信号を送信する。空気清浄機３０やエアコン４０は、例えば赤外線の受光部のような制御信号受信部２１で制御信号を受信する。なお、図２は一例であり、他の家電装置を構成することも可能である。
【００３１】
図３は、実施形態１の映像装置１による家電制御の動作を説明するフロー図である。一例として図２の映像装置１が空気清浄機３０を制御する場合を例として説明する。なお、図３においてＳはステップを示し、例えばＳ３２はステップ３２を意味する。
【００３２】
映像装置１と空気清浄機３０の電源をオンにする(Ｓ３１、Ｓ３２)。映像装置１は、電源がオンにすると、表示部に出力している映像が番組本編かＣＭかに係らず空気清浄機３０の風量を小さくする制御信号を生成し(Ｓ３３)、空気清浄機３０へ送信する(Ｓ３４)。空気清浄機３０は、制御信号を受信すると風量を小さくする(Ｓ３５)。ここで風量を小さくするとは、風量を一段階下げる設定もしくは風量の小さい設定（例えば弱設定）にすることを指す。。なお、空気清浄機に静音モードが搭載されているならば、ステップＳ３５の処理で静音モードに移行させるようにしてもよい。
【００３３】
映像装置１は、次に放送データを解析し(Ｓ３６)、次にＣＭ開始を検出する(Ｓ３７)。ＣＭを検出する方法は、本発明の本質部分ではなく従来技術を含め任意に実施可能である。ここでは一例として、番組本編とＣＭとの間にある無音期間を検出して、ＣＭ開始と番組本編開始を検出する技術を用いて説明する。ＣＭ検出部１３は、映像／音声処理部１２によって処理された音声データに含まれる無音期間を検出し、制御部１４に出力する。制御部１４は受信した無音期間をメモリ１５に連続的に記録する。ＣＭ検出部１３は、制御部１４がメモリに連続的に記録した無音期間から、無音期間の発生間隔を抽出し、無音期間と無音期間の間が相対的に短い期間をＣＭ期間として判定する。ＣＭ期間と判定したら、判定したＣＭ期間が開始された無音期間をＣＭ開始に相当する無音期間として定め、その次に検出した無音期間を番組本編開始として定める。これを繰り返し、以降の無音期間を順次、ＣＭ開始と番組本編開始として判定していく。このようなデータの解析をステップＳ３６で行い、ステップＳ３７でＣＭ開始の検出を行う。初動としてのＣＭの検出を実行すれば、映像装置１の電源をオフにするまで、無音期間が番組本編開始であるのか、ＣＭ開始であるのかの解析は実施しなくても構わない。放送波の受信状態が悪くなる、屋内のアンテナ線が接触不良を起こすなどの、ＣＭ開始の誤検出が発生したら再度、ＣＭの開始の解析を行うようにしてもよい。この場合、受信処理部１１で受信レベルを検出するようにして、所定の受信レベルを下回ったら、放送データの解析を行なう。
【００３４】
ＣＭ開始を検出すると、空気清浄機３０の風量を大きくする制御信号を生成し(Ｓ３８)、空気清浄機３０へ送信する(Ｓ３９)。空気清浄機３０は、制御信号を受信すると風量を大きくする(Ｓ４０)。これにより、映像装置１が起動したときに、空気清浄機３０の風量を小さくすることで汚れの残っていた空気を清浄することが可能になる。なお、このとき映像装置１の音量を上げてもよい。すなわち、音量設定部１９で視聴者が設定している音量検出部２０によって検出し、制御部１４が現在の音量よりも大きくする制御信号を映像／音声処理部１２へ送り、音声出力部１７から出力されている音量を上げる。ＣＭ中に映像装置１の音量を上げることによって空気清浄機３０の風量を大きくしても、ＣＭの音声情報を聞きやすくすることが可能になる。
【００３５】
次に映像装置１がＣＭの終了、すなわち番組本編開始を検出すると(Ｓ４１)、空気清浄機３０の風量を小さくする制御信号を生成し(Ｓ４２)、空気清浄機３０へ送信する(Ｓ４３)。空気清浄機３０は、制御信号を受信すると風量を小さくする(Ｓ４４)。もしくは、ステップＳ４２で、静音モードに移行させる制御信号を送信し、ステップＳ４４で空気清浄機３０は、静音モードに移行してもよい。これによって、視聴者は番組本編を視聴中は、空気清浄機３０の動作音が抑えられるので、番組本編の視聴を楽しむことが可能になる。特に教育番組や資格取得講座など音の情報が重要な番組や、静かに視聴したい映画などを視聴する際に、聞き逃すことがなくなるようになる。
【００３６】
通常動作では、Ｓ３７からＳ４４を繰り返す。Ｓ４５以降は、映像装置１の終了動作である。視聴者が映像装置１の電源をオフにする操作を映像装置１が検出すると(Ｓ４５)、映像装置１は空気清浄機３０に制御信号を送信し(Ｓ４６)、映像装置１の電源をオフにする(Ｓ４８)。制御信号は、空気清浄機３０を自動運転モードで動作させる指示信号であり、空気清浄機３０はこれを受信して自動運転を開始する(Ｓ４７)。なお自動運転は、センサーによって空気の汚れを感知し、空気が汚れていたら風量を上げて空気清浄を行うモードのことである。
【００３７】
このような構成にすることにより、空気清浄機はＣＭ中に出力を上げて空気浄化を行うことから、ＣＭ中に室内環境が向上し、番組本編中に出力を上げる必要が減少する。ＣＭから番組本編への切り替わり時に風量を小さくするまたは静音モードに移行することにより、番組本編中は静かな環境でテレビを視聴することが可能になり、空気清浄機の動作音をうるさく感じなくなる。１度のＣＭ中に空気浄化できなかった分は次のＣＭ中に出力を上げることによって、浄化することができる。また、番組本編開始時に自動運転モードに移行した場合であっても、ＣＭ中に浄化で進んでいるので、番組本編時に風量が上がる機会は少なくなる。
【００３８】
また、図３では空気清浄機３０を例に説明したが、エアコン４０でも同様に風量の制御を実施可能である。
【００３９】
ここまで説明した映像装置１は、ＣＭを検出し、テレビが番組本編を放送しているときは、映像装置１周辺の空気清浄機やエアコンの風量を小さくし、テレビがＣＭを放送しているときは、風量を大きくするものである。
【００４０】
また、視聴者が音量設定部１９によって設定している映像装置１の音量に応じて、ＣＭ中の空気清浄機やエアコンの風量を制御ようにしてもよい。
【００４１】
視聴者の音量の設定が大きい場合には、音量検出部２０は音量が大きいことを検出する。制御部１４は、音量検出部２０からの信号を受信し、ＣＭ検出部１３からＣＭ開始の信号を受信すると、制御信号送信部１８から風量を大きくする制御信号を送信する。視聴者の音量の設定が小さい場合には、音量検出部２０が音量が小さいことを検出する。制御部１４は、音量検出部２０からの信号を受信し、ＣＭ検出部１３からＣＭ開始の信号を受信したら、制御信号送信部１８から風量を小さくする制御信号を送信する。
【００４２】
このようにすることで、ＣＭ中の音声を聞きやすくすることが可能になる。なお、音量の検出は大きいか小さいかの２値ではなく、大中小やそれ以上の複数段階に分け、風量もこれに合わせて複数段階に制御してもよい。
【００４３】
上述した例では空気清浄機やエアコンの風量を制御したが、イオン発生器のイオン発生量を制御することにも応用可能である。イオン発生器は、イオン発生ユニット部で高圧放電を行なっており、この動作音がうるさいと感じる場合がある。
【００４４】
番組本編の視聴中は、イオン発生量を少なくし、ＣＭが開始されたらイオン発生量を多くする。このようにすることで、番組本編の視聴中に少なくなった空気中のイオン量を、ＣＭ中に増やすことが可能になる。
【００４５】
なおこの場合、イオン発生器へ送信する制御信号がイオン量の制御に変わるだけで、ＣＭの開始の検出やイオン発生器の制御の仕方などは、上述した風量の制御と同様に実施できるので説明を省略する。
【００４６】
また、番組本編を視聴中は、空気清浄機やエアコンやイオン発生器を待機状態にし、ＣＭが開始されたら復帰させて大きな風量もしくは多めのイオン発生量で動作させるようにしてもよい。このようにすると、番組本編の視聴中に家電装置の動作音が気になることはなくなり、且つＣＭ中に空気清浄や温度調整を行うことが可能になる。
【００４７】
以上、説明したように実施形態１の映像装置１は、ＣＭを検出し、ＣＭを放送しているのか、番組本編を放送しているのかによって空気清浄機やエアコンなどの家電装置を制御するものである。
【００４８】
これによって番組本編中は空気清浄機やエアコンの風量やイオン発生器のイオン発生量を下げることにより、番組本編を快適に楽しむことが可能になる。
【００４９】
またＣＭが視聴者に伝えたい内容は、番組本編より直感的であり認識し易く、番組本編の視聴中に比べると家電装置の音はそれほど気にならない。よって、番組本編中に空気清浄機やエアコンの風量やイオン発生器のイオン発生量を下げることにより空気を浄化しきれなかったり、所定の設定温度の室温を維持できなくなっても、ＣＭの内容の理解を妨げることなく、ＣＭ中に空気清浄機やエアコンの風量やイオン発生器のイオン発生量を上げて、浄化しきれなかった空気を綺麗にしたり、空間を所定の設定温度に調整することが可能になる。
【００５０】
［実施形態２］
実施形態１では、映像装置１が空気清浄機３０やエアコン４０の動作を制御する制御信号を生成し、空気清浄機やエアコンへ送信して制御した。それに対して実施形態２では、映像装置２と空気清浄機やエアコンなどの家電装置とでシステムを構成するものである。映像装置２は、ＣＭ開始や番組本編開始、映像装置２の音量などの番組視聴状態を空気清浄機やエアコンに送信し、番組視聴状態を受信した空気清浄機やエアコンが、これら番組視聴状態に応じて番組本編を快適に視聴できる制御を行なうものである。
【００５１】
図４と図５を参照して実施形態２を説明する。図４は、実施形態２の家電制御システムの構成を示す構成図である。図４には一例として、映像装置２と空気清浄機３１によって構成するシステムを図示している。ただし、図４は一例であり、他にエアコンを構成したり、複数の空気清浄機を構成することも可能である。
【００５２】
図４に示す映像装置２の要部構成を説明する。実施形態２の映像装置２の番組視聴状態送信部２２以外は、実施形態１の映像装置１と同じであるので説明を省略する。映像装置２は、ＣＭ検出部１３で検出したＣＭ開始や番組本編開始、音量検出部２０で検出した視聴者が設定している音量などの情報を番組視聴状態送信部２２から送信する。なお、情報の送信は赤外線送信により行なわれてもよいし、WiFiを用いてもよい。
【００５３】
図４に示す空気清浄機３１の要部構成を説明する。空気清浄機３１は、番組視聴状態受信部２３、制御部２４、メモリ２５、風量調整部２６、イオン発生量調整部２７、ファン２８、イオン発生ユニット２９を有する。
【００５４】
番組視聴状態受信部２３は、映像装置２からＣＭ開始や映像装置の音量などの情報を赤外線やWiFiにて受信し制御部２４へ出力する。
【００５５】
制御部２４は、番組視聴状態受信部２３から、視聴者が映像装置２を視聴している状態の情報を取得し、風量調整部２６やイオン発生量調整部２７を制御する。メモリ２５は、番組視聴状態受信部２３や風量調整部２６などの各構成が行う処理データを、制御部２４を介して一時的に格納する他、空気清浄機３１のアプリケーションやデータなどを格納する。
【００５６】
風量調整部２６は、制御部２４の指示によりファン２８の回転速度を制御して、空気清浄機３１から出力される風量を調整する。ファン２８は、室内の空気を循環させる風の出力部であり、モーターを有し、風量調整部２６によって回転速度を制御される。
【００５７】
イオン発生量調整部２７は、制御部２４の指示によりイオン発生ユニット２９で発生させるイオンの量を制御する。イオン発生ユニット２９は、高圧放電によりイオンを発生させ室内に放出する出力部であり、イオン発生量調整部２７によってイオンを発生する量を制御される。なお更にファンを備え、ファンにイオンを乗せてイオンを遠くに運ぶようにしてもよい。
【００５８】
図５は、実施形態２の映像装置２による家電制御の動作を説明するフロー図である。図５を説明する。ただし、実施形態１で説明した処理と同様の部分は、説明を省略する。映像装置２と空気清浄機３１の電源をオンにする(Ｓ６１、Ｓ６２)。映像装置２は、電源がオンになると表示部に出力している映像が番組本編かＣＭかに係らず、番組視聴状態が映像装置２の電源がオンにされた後の初期状態であることを示す信号を生成し(Ｓ６３)、番組視聴状態送信部２２から空気清浄機３１へ送信する(Ｓ６４)。空気清浄機３１は、番組視聴状態受信部２３で、映像装置２から信号を受信すると、制御部２４が風量調整部２６を制御してファン２８の回転速度を下げ、ファン２８から出力される風量を小さくする(Ｓ６５)。もしくは静音モードに移行させるようにしてもよい。
【００５９】
映像装置２は、放送データを解析し(Ｓ６６)、次にＣＭ開始を検出したら(Ｓ６７)、番組視聴状態がＣＭ開始状態であることを示す信号を生成し(Ｓ６８)、空気清浄機３１へ送信する(Ｓ６９)。空気清浄機３１は、番組視聴状態受信部２３で、映像装置２から信号を受信すると、制御部２４が風量調整部２６を制御してファン２８の回転速度を上げ、ファン２８から出力される風量を大きくする(Ｓ７０)。これによって実施形態１と同様に、映像装置２が起動したときに、空気清浄機３１の風量を小さくすることで汚れた空気を清浄することが可能になる。なお、このとき映像装置２の音量を上げてもよい。ＣＭ中にテレビの音量を上げることによって空気清浄機３１の風量を大きくしても、ＣＭの音声情報を聞きやすくすることが可能になる。
【００６０】
次に映像装置２がＣＭの終了、すなわち番組本編開始を検出すると(Ｓ７１)、番組視聴状態が番組本編開始状態であることを示す信号を生成し(Ｓ７２)、空気清浄機３１へ送信する(Ｓ７３)。空気清浄機３１は、番組視聴状態受信部２３で、映像装置２から信号を受信すると、制御部２４が風量調整部２６を制御してファン２８の回転速度を下げ、ファン２８から出力される風量を小さくする(Ｓ７４)、もしくは、静音モードに移行する。これによって、実施形態１と同様に視聴者はテレビ番組本編を視聴中は、空気清浄機３１の動作音が抑えられるので、番組本編の視聴を楽しむことが可能になる。
【００６１】
通常動作では、Ｓ６７からＳ７４を繰り返す。Ｓ７５以降は、映像装置２の終了動作である。視聴者が映像装置２の電源をオフにする操作を映像装置２が検出すると(Ｓ７５)、番組視聴状態が電源オフにされた状態であることを示す信号を生成し(Ｓ７６)、空気清浄機３１へ送信し(Ｓ７７)、映像装置２の電源をオフにする(Ｓ７９)。空気清浄機３１は、番組視聴状態受信部２３で、映像装置２から信号を受信すると、自動運転を開始する(Ｓ７８)。
【００６２】
また、上記では空気清浄機３１を例に説明したが、エアコンでも空気清浄機３１と同様の構成にすることにより風量の制御を実施可能である。
【００６３】
また、視聴者が音量設定部１９によって設定している映像装置２の音量を音量検出部２０で検出し、音量を示す信号を番組視聴状態送信部２２から空気清浄機３１へ出力するようにしてもよい。空気清浄機３１は、番組視聴状態受信部２３で、映像装置２から映像装置２の音量を示す信号とＣＭ開始状態であることを示す信号を受信すると、視聴者の音量の設定が大きい場合には、制御部２４が風量調整部２６を制御してファン２８の回転速度を上げ、ファン２８から出力される風量を大きくする。ここで視聴者の音量の設定が小さい場合には、制御部２４が風量調整部２６を制御してファン２８の回転速度を上げ、ファン２８から出力される風量を小さくする制御信号を送信する。このようにすることで、ＣＭ中の音声を聞きやすくすることが可能になる。なお、音量の検出は大きいか小さいかの２値ではなく、大中小やそれ以上の複数段階に分け、風量もこれに合わせて複数段階に制御してもよい。
【００６４】
上述した例では空気清浄機やエアコンの風量を制御したが、イオン発生量を制御することにも応用可能である。映像装置２は番組視聴状態がＣＭ開始状態であることを示す信号を送信し、空気清浄機３１が番組視聴状態受信部２３で受信すると、制御部２４がイオン発生量調整部２７を制御して、イオン発生ユニット２９で発生させるイオンの量を多くする。また映像装置２が番組視聴状態が番組本編開始状態であることを示す信号を送信し、空気清浄機３１が番組視聴状態受信部２３で受信すると、制御部２４がイオン発生量調整部２７を制御して、イオン発生ユニット２９で発生させるイオンの量を少なくする。このようにすることで、番組本編の視聴中は、イオン発生量を少なくし、イオン発生による動作音を抑え、ＣＭ中は番組本編の視聴中に少なくなった空気中のイオン量を増やすことが可能になる。
【００６５】
また、空気清浄機３１やエアコンが番組視聴状態受信部２３で番組本編開始状態であることを示す信号を受信したら、空気清浄機３１やエアコンは待機状態になり、映像装置２からＣＭ開始状態であることを示す信号を受信したら、復帰して大きな風量もしくは多めのイオン発生量で動作するようにしてもよい。このようにすると、番組本編の視聴中に家電装置の動作音が気になることはなくなり、且つＣＭ中に空気清浄や温度調整を行うことが可能になる。
【産業上の利用可能性】
【００６６】
本発明は、映像装置に利用することが可能である。
【符号の説明】
【００６７】
１、２  映像装置
１０  アンテナ
１１  受信処理部
１２  映像/音声処理部
１３  ＣＭ検出部
１４、２４  制御部
１５、２５  メモリ
１６  表示部
１７  音声出力部
１８  制御信号送信部
１９  音量設定部
２０  音量検出部
２１  制御信号受信部
２２  番組視聴状態送信部
２３  番組視聴状態受信部
２６  風量調整部
２７  イオン発生量調整部
２８  ファン
２９  イオン発生ユニット
３０、３１  空気清浄機
４０  エアコン
【図１】
2013207444.tif 000003
【図２】
2013207444.tif 000004
【図３】
2013207444.tif 000005
【図４】
2013207444.tif 000006
【図５】
2013207444.tif 000007